(57)【要約】【課題】運転員の人為的操作ミスを無くし、システムの実装設備・機器を制御対象とした試運転ができる。【解決手段】各種の水処理設備・機器で構成し、これらをプログラマブルコントローラで制御する系列構成とし、この系列をＡ，Ｂの２系列に構成した水処理システムの試運転方法。  システムに実装される設備・機器についての試運転条件（休止時間、きょ水位など）毎にまたは運転員の試運転スイッチ操作で、Ａ，Ｂの系列のうち、運転中でない系列に制限した試運転を行い（Ｓ１〜Ｓ３）、試運転で設備・機器に故障または異常が有る場合にはその表示で運転員に知らると共に運転中の系列の運転を保持し（Ｓ４，Ｓ６，Ｓ７，Ｓ８，Ｓ１０，Ｓ１１）、故障または異常が無い場合にその正常表示出力を得る（Ｓ５，Ｓ９）。【選択図】図１
2008123463.tif 000002
【特許請求の範囲】
【請求項１】
各種の水処理設備・機器で構成し、これらをプログラマブルコントローラで制御する系列構成とし、この系列を複数系列に構成した水処理システムの試運転方法であって、
システムに実装される設備・機器についての試運転条件の自動入力または運転員の試運転スイッチ操作で、試運転条件毎に運転中でない系列に制限した試運転を行い、試運転で設備・機器に故障または異常が有る場合にはその表示で運転員に知らると共に運転中の系列の運転を保持し、前記故障または異常が無い場合にその正常表示出力を得る試運転制御手段を備えたことを特徴とする水処理システムの試運転方法。
【発明の詳細な説明】
【技術分野】
【０００１】
本発明は、下水処理や上水処理などの水処理システムの試運転方法に関する。
【背景技術】
【０００２】
図２は、下水処理システムを例示し、ステップ方法の循環式硝化脱窒化法による生物学的な窒素除去処理システムを示す。このシステムは、硝化反応と脱窒反応を組み合わせることで、窒素の十分な硝化、脱窒における無酸素条件の確保および脱窒に必要な有機物の供給方法になる。
【０００３】
アンモニア性窒素を硝酸性窒素や亜硝酸性窒素まで酸化させる反応槽（好気槽）１、２は、その入口にはそれぞれ硝化液を窒素ガス化する脱窒槽（無酸素槽）３、４を設け、好気槽１、２にはブロワ５により空気を吹き込み、反応槽１、２の硝化液をポンプ６，７によって脱窒槽３、４に循環させる。反応槽２で脱窒された処理水は最終沈殿池８によって汚泥と処理水に分離し、汚泥の一部は返送汚泥ポンプ９によって脱窒槽３の脱窒に必要な有機物供給のために返送し、余剰汚泥はポンプ１０によって引き抜く。
【０００４】
プログラマブルコントローラ１１は、ソフトウェア構成の余剰汚泥制御機能１１Ａ、返送汚泥制御機能１１Ｂ、ＤＯ制御機能１１Ｃを搭載し、流量計１２で計測する流入水流量やＤＯ計１３で計測するＤＯ値をフィードバック信号とし、設定値（目標値）との比較をもとに、余剰汚泥引抜量、返送汚泥量、ばっ気風量などの制御量を得てポンプ９、１０やブロワ５の回転数制御やオン・オフ制御を行う。
【０００５】
このような水処理システムは、規模拡張や処理量調整、メンテナンスを可能とするため、通常はシステムを構成する設備・機器（槽設備、ポンプ、計測器）を複数系列設ける。
【０００６】
これら複数系列を並設した水処理システムにおいて、プログラマブルコントローラ１１はシステムの運転に必要な機能の他、システムの再稼働や立ち上げ時に試運転を行うための試運転制御機能１１Ｄを設けている（例えば、特許文献１参照）。
【０００７】
この試運転制御は、例えば、図２のシステムにおいては、槽１〜４の流入水位等の試運転条件を運転員が判断した上で、各設備・機器を手動操作し、この操作信号を試運転制御機能１１Ｄに入力し、試運転制御機能は余剰汚泥制御機能などの各制御機能１１Ａ〜１１Ｃへの計測信号や設定値の入力に代えて、試運転用計測信号や設定値を入力し、これら入力に対して各制御機能１１Ａ〜１１Ｃに所期の制御量が得られるか否かを試運転制御機能１１Ｄが判定出力する。
【特許文献１】特開平０６−２５０７１２号公報
【発明の開示】
【発明が解決しようとする課題】
【０００８】
従来の試運転方法は、運転員による判断で手動で試運転条件設定をするため、人為的な判断ミスや操作ミスが発生するおそれがある。これらのミスを起こしたまま、試運転を実行すると、設備・機器に過負荷運転が起きるなど、実設備・機器の故障・破損を招くおそれもある。
【０００９】
他のコントローラの試運転方法として、コントローラの製品出荷に際して模擬負荷を与えて行われるが、この試運転方法ではシステムが実際に稼働中でその設備・機器を接続した試運転ができない。また、システムに実装した場合に想定される各制御機能の不都合を見いだすことができない。
【００１０】
本発明の目的は、運転員の人為的操作ミスを無くし、システムの実装設備・機器を制御対象とした試運転ができる水処理システムの試運転方法を提供することにある。
【課題を解決するための手段】
【００１１】
本発明は、前記の課題を解決するため、システムが複数の系列構成になることを利用し、システムに実装される各種の設備・機器についての試運転条件の自動入力または運転員の試運転スイッチ操作で試運転を開始し、この試運転には試運転条件毎に運転中でない系列に制限した試運転を行い、試運転で設備・機器に故障（異常）が有る場合にはその表示で運転員に知らると共に運転中の系列の運転を保持するようにしたもので、以下の方法を特徴とする。
【００１２】
（１）各種の水処理設備・機器で構成し、これらをプログラマブルコントローラで制御する系列構成とし、この系列を複数系列に構成した水処理システムの試運転方法であって、
システムに実装される設備・機器についての試運転条件の自動入力または運転員の試運転スイッチ操作で、試運転条件毎に運転中でない系列に制限した試運転を行い、試運転で設備・機器に故障または異常が有る場合にはその表示で運転員に知らると共に運転中の系列の運転を保持し、前記故障または異常が無い場合にその正常表示出力を得る試運転制御手段を備えたことを特徴とする。
【発明の効果】
【００１３】
以上のとおり、本発明によれば、システムに実装される各種の設備・機器についての試運転条件の自動入力または運転員の試運転スイッチ操作で試運転を開始し、この試運転には試運転条件毎に運転中でない系列に制限した試運転を行い、試運転で設備・機器に故障（異常）が有る場合にはその表示で運転員に知らると共に運転中の系列の運転を保持するようにしたため、以下の効果がある。
【００１４】
（１）運転員の試運転条件設定を不要にした試運転が可能となり、運転員の人為的なミスが無くなる。
【００１５】
（２）システムの実装設備・機器を制御対象とした試運転ができる。
【００１６】
（３）システム全体の運転停止を回避した試運転ができる。
【００１７】
（４）実運転前に故障・異常の設備・機器の修復が可能となる。
【発明を実施するための最良の形態】
【００１８】
図１は、本発明の実施形態を示す水処理システムの試運転制御機能１１Ｄを実現する試運転シーケンスであり、システムがＡ，Ｂの２系列で構成される場合の試運転シーケンスである。
【００１９】
試運転制御機能１１Ｄは、２系列のプログラマブルコントローラの一方に設けられ、機器休止時間（α時間以上）や流入きょ水位（変化率β％以上）などの各種の試運転条件の１つが与えられる毎に試運転制御を開始する。また、運転員による試運転スイッチのオン操作によって試運転制御を開始する。
【００２０】
試運転開始には、まず、Ａ，Ｂの２系列構成システムのうち、Ａ系列運転中か否かを判定し（Ｓ１）、Ａ系列運転中であればＢ系列の試運転を開始し（Ｓ２）、Ａ系列運転中でなければＡ系列の試運転を開始する（Ｓ３）。これら試運転には、当該系列の設備・機器を順次短時間運転し、その故障（異常も含む）の有無を確認する。
【００２１】
次に、試運転制御機能１１Ｄは、Ｂ系列の試運転中で、Ｂ系列の設備・機器に故障が有るか否かを判定し（Ｓ４）、故障が無ければＢ系列の設備・機器が全て正常の判定を得ると共にＢ系列の運転可能の出力信号を発生する（Ｓ５）。Ｂ系列の設備・機器に故障が有る場合、Ｂ系列故障表示器を点灯させ（Ｓ６）、Ａ系列の運転保持の出力を得る（Ｓ７））。
【００２２】
同様に、試運転制御機能１１Ｄは、Ａ系列の試運転中で、Ａ系列の設備・機器に故障が有るか否かを判定し（Ｓ８）、故障が無ければＡ系列の設備・機器が全て正常の判定を得ると共にＡ系列の運転可能の出力信号を発生する（Ｓ９）。Ａ系列の設備・機器に故障が有る場合、Ａ系列故障表示器を点灯させ（Ｓ１０）、Ｂ系列の運転保持の出力を得る（Ｓ１１））。
【００２３】
以上までの、試運転制御は、試運転条件を順次切り替えて繰り返し制御し、例えば、ある試運転条件についての試運転終了で、次の試運転条件についての試運転開始までにＡ，Ｂ系列の運転／停止に切り替えが起きたときは、他方の運転中でない系列について試運転を行う。
【００２４】
以上のように、本実施形態では、Ａ，Ｂの２系列システムの試運転には、試運転条件毎に、運転していない系列を試運転させることで、試運転によるシステム全体の停止を回避する。また、停止中の系列の設備・機器を順次短時間運転することで実機による故障の有無を確認する。
【００２５】
そして、故障が有る場合には、故障表示器を点灯させて運転員に知らせ、故障の有る系列への運転切替を禁止するために他系列の運転保持を行い、この保持期間を利用して、故障設備・機器の修理を可能にする。故障が無い場合には、設備・機器の正常を表示して運転員に知らせ、次の試運転条件に従った試運転を行う。
【００２６】
なお、実施形態では、システムがＡ，Ｂの２系列構成の場合を示すが、３系列以上で構成される場合にも同様のシーケンスで実現できる。すなわち、１つの系列を試運転対象系列とし、残りの系列を他の系列として取り扱う。
【図面の簡単な説明】
【００２７】
【図１】本発明の実施形態を示す水処理システムの試運転シーケンス。
【図２】下水処理システムの構成例。
【符号の説明】
【００２８】
１、２  好気槽
３、４  無酸素槽
５  ブロワ
６、７、９、１０  ポンプ
８  最終沈殿池
１１  プログラマブルコントローラ
１２  流量計
１３  ＤＯ計
１１Ｄ  試運転制御機能
【図１】
2008123463.tif 000003
【図２】
2008123463.tif 000004